(57)【要約】【構成】ＲＳ４８５ドライバ２２ｊは、操作者によって操作される外部コントローラとの間で、有効プロトコルに従う通信処理を実行する。ＲＳ４８５ドライバ２２ｊを通して外部コントローラから受信したコマンドに従う処理は、メインマイコン２２ｈによって実行される。Ｉ／Ｏマイコン２２ｈは、既定条件が満足されたとき、複数のプロトコルの各々を時分割態様で選択する。選択されたプロトコルを識別する識別情報は、Ｉ／Ｏマイコン２２ｈによって操作者に向けて出力される。Ｉ／Ｏマイコン２２ｈは、操作者の操作に対応する信号を、外部コントローラから受け付ける。Ｉ／Ｏマイコン２２ｈは、操作者の操作に対応する信号の受付時期に操作者に向けて出力されている識別情報に対応するプロトコルを、外部コントローラとの通信処理のために有効化する。【効果】外部コントローラが採用するプロトコルに適合するプロトコルを簡便に設定することができる。【選択図】図３
2009010670.tif 000002
【特許請求の範囲】
【請求項１】
有効プロトコルに従う通信処理を操作者によって操作される外部コントローラとの間で実行する通信手段、
前記通信手段を通して前記外部コントローラから受信したコマンドに従う処理を実行する処理手段、
既定条件が満足されたときＭ個（Ｍ：２以上の整数）のプロトコルの各々を時分割態様で選択する選択手段、
前記選択手段によって選択されたプロトコルを識別する識別情報を前記操作者に向けて出力する出力手段、
前記操作者の操作に対応する信号を前記外部コントローラから受け付ける受付手段、および
前記受付手段による受付時期に前記出力手段によって出力される識別情報に対応するプロトコルを前記外部コントローラとの通信処理のために有効化する有効化手段を備える、コマンド処理装置。
【請求項２】
Ｎ個（Ｎ：２以上の整数）のプロトコルのいずれか１つを指定する第１スイッチをさらに備え、
前記Ｎ個のプロトコルは前記Ｍ個のプロトコルの１つである特定プロトコルを含み、
前記既定条件は前記第１スイッチが前記特定プロトコルを指定しているというプロトコル条件を含む、請求項１記載のコマンド処理装置。
【請求項３】
自己アドレスを指定する第２スイッチをさらに備え、
前記既定条件は前記第２スイッチによって指定された自己アドレスが特定値を示すというアドレス条件をさらに含む、請求項２記載のコマンド処理装置。
【請求項４】
前記受付手段は前記通信手段を通して前記信号を受け付ける、請求項１ないし３のいずれかに記載のコマンド処理装置。
【請求項５】
有効プロトコルに従う通信処理を操作者によって操作される外部コントローラとの間で実行する通信手段、および前記通信手段を通して前記外部コントローラから受信したコマンドに従う処理を実行する処理手段を備えるコマンド処理装置に、
既定条件が満足されたときＭ個（Ｍ：２以上の整数）のプロトコルの各々を時分割態様で選択する選択ステップ、
前記選択ステップによって選択されたプロトコルを識別する識別情報を前記操作者に向けて出力する出力ステップ、
前記操作者の操作に対応する信号を前記外部コントローラから受け付ける受付ステップ、および
前記受付ステップによる受付時期に前記出力ステップによって出力される識別情報に対応するプロトコルを前記外部コントローラとの通信処理のために有効化する有効化ステップを実行させるための、プロトコル設定プログラム。
【請求項６】
有効プロトコルに従う通信処理を操作者によって操作される外部コントローラとの間で実行する通信手段、および前記通信手段を通して前記外部コントローラから受信したコマンドに従う処理を実行する処理手段を備えるコマンド処理装置によって実行されるプロトコル設定方法であって、
既定条件が満足されたときＭ個（Ｍ：２以上の整数）のプロトコルの各々を時分割態様で選択する選択ステップ、
前記選択ステップによって選択されたプロトコルを識別する識別情報を前記操作者に向けて出力する出力ステップ、
前記操作者の操作に対応する信号を前記外部コントローラから受け付ける受付ステップ、および
前記受付ステップによる受付時期に前記出力ステップによって出力される識別情報に対応するプロトコルを前記外部コントローラとの通信処理のために有効化する有効化ステップを備える、プロトコル設定方法。
【発明の詳細な説明】
【技術分野】
【０００１】
この発明は、コマンド処理装置に関し、特にたとえば、監視カメラに適用され、外部コントローラから送信されたコマンドに従う処理を実行する、コマンド処理装置に関する。
【背景技術】
【０００２】
この種の装置の一例が、特許文献１に開示されている。この背景技術によれば、複数台のリモート雲台がオペレーションユニットに接続され、各々のリモート雲台はオペレーションユニットによって遠隔制御される。データ通信のためのプロトコルとしては、ＴＣＰ／ＩＰやそれに準じたプロトコルが採用される。
【特許文献１】特開２００１−３１３９２９号公報［H04N 7/18, H04B 3/54, H04N 5/222, 5/232］
【発明の開示】
【発明が解決しようとする課題】
【０００３】
しかし、オペレーションユニットが想定していないリモート雲台（たとえば異なるメーカ製のリモート雲台）をオペレーションユニットに接続する場合、リモート雲台のプロトコルをオペレーションユニットに適合させる煩わしい作業が必要となる。このような問題への対策について、特許文献１は何ら開示していない。
【０００４】
それゆえに、この発明の主たる目的は、外部コントローラが採用するプロトコルに適合するプロトコルを簡便に設定することができる、コマンド処理装置を提供することである。
【課題を解決するための手段】
【０００５】
請求項１の発明に従うコマンド処理装置(22：実施例で相当する参照符号。以下同じ)は、有効プロトコルに従う通信処理を操作者によって操作される外部コントローラ(14)との間で実行する通信手段(22j)、通信手段を通して外部コントローラから受信したコマンドに従う処理を実行する処理手段(22h)、既定条件が満足されたときＭ個（Ｍ：２以上の整数）のプロトコルの各々を時分割態様で選択する選択手段(S31, S39)、選択手段によって選択されたプロトコルを識別する識別情報を操作者に向けて出力する出力手段(S33)、操作者の操作に対応する信号を外部コントローラから受け付ける受付手段(S35)、および受付手段による受付時期に出力手段によって出力される識別情報に対応するプロトコルを外部コントローラとの通信処理のために有効化する有効化手段(S49)を備える。
【０００６】
通信手段は、操作者によって操作される外部コントローラとの間で、有効プロトコルに従う通信処理を実行する。通信手段を通して外部コントローラから受信したコマンドに従う処理は、処理手段によって実行される。選択手段は、既定条件が満足されたとき、Ｍ個（Ｍ：２以上の整数）のプロトコルの各々を時分割態様で選択する。選択手段によって選択されたプロトコルを識別する識別情報は、出力手段によって操作者に向けて出力される。受付手段は、操作者の操作に対応する信号を、外部コントローラから受け付ける。有効化手段は、受付手段による受付時期に出力手段によって出力される識別情報に対応するプロトコルを、外部コントローラとの通信処理のために有効化する。
【０００７】
したがって、操作者に向けて出力される識別情報に対応するプロトコルは、時分割態様で変更される。所望のプロトコルを識別する識別情報が出力されているときに操作者が外部コントローラを操作すると、所望のプロトコルが外部コントローラとの通信処理のために有効化される。これによって、コントローラが採用するプロトコルに適合するプロトコルをコマンド処理装置に簡便に設定することができる。
【０００８】
請求項２の発明に従うコマンド処理装置は、請求項１に従属し、Ｎ個（Ｎ：２以上の整数）のプロトコルのいずれか１つを指定する第１スイッチ(DIP-SW1)をさらに備え、Ｎ個のプロトコルはＭ個のプロトコルの１つである特定プロトコルを含み、既定条件は第１スイッチが特定プロトコルを指定しているというプロトコル条件を含む。
【０００９】
請求項３の発明に従うコマンド処理装置は、請求項２に従属し、自己アドレスを指定する第２スイッチ(DIP-SW2)をさらに備え、既定条件は第２スイッチによって指定された自己アドレスが特定値を示すというアドレス条件をさらに含む。
【００１０】
請求項４の発明に従うコマンド処理装置は、請求項１ないし３のいずれかに従属し、受付手段は通信手段を通して信号を受け付ける。
【００１１】
請求項５の発明に従うプロトコル設定プログラムは、有効プロトコルに従う通信処理を操作者によって操作される外部コントローラ(14)との間で実行する通信手段(22j)、および通信手段を通して外部コントローラから受信したコマンドに従う処理を実行する処理手段(22h)を備えるコマンド処理装置(22)に、既定条件が満足されたときＭ個（Ｍ：２以上の整数）のプロトコルの各々を時分割態様で選択する選択ステップ(S31, S39)、選択ステップによって選択されたプロトコルを識別する識別情報を操作者に向けて出力する出力ステップ(S33)、操作者の操作に対応する信号を外部コントローラから受け付ける受付ステップ(S35)、および受付ステップによる受付時期に出力ステップによって出力される識別情報に対応するプロトコルを外部コントローラとの通信処理のために有効化する有効化ステップ(S49)を実行させるための、プロトコル設定プログラムである。
【００１２】
請求項６の発明に従うプロトコル設定方法は、有効プロトコルに従う通信処理を操作者によって操作される外部コントローラ(14)との間で実行する通信手段(22j)、および通信手段を通して外部コントローラから受信したコマンドに従う処理を実行する処理手段(22h)を備えるコマンド処理装置(22)によって実行されるプロトコル設定方法であって、既定条件が満足されたときＭ個（Ｍ：２以上の整数）のプロトコルの各々を時分割態様で選択する選択ステップ(S31, S39)、選択ステップによって選択されたプロトコルを識別する識別情報を操作者に向けて出力する出力ステップ(S33)、操作者の操作に対応する信号を外部コントローラから受け付ける受付ステップ(S35)、および受付ステップによる受付時期に出力ステップによって出力される識別情報に対応するプロトコルを外部コントローラとの通信処理のために有効化する有効化ステップ(S49)を備える。
【発明の効果】
【００１３】
この発明によれば、操作者に向けて出力される識別情報に対応するプロトコルは、時分割態様で変更される。所望のプロトコルを識別する識別情報が出力されているときに操作者が外部コントローラを操作すると、所望のプロトコルが外部コントローラとの通信処理のために有効化される。これによって、コントローラが採用するプロトコルに適合するプロトコルをコマンド処理装置に簡便に設定することができる。
【００１４】
この発明の上述の目的，その他の目的，特徴および利点は、図面を参照して行う以下の実施例の詳細な説明から一層明らかとなろう。
【発明を実施するための最良の形態】
【００１５】
図１を参照して、この実施例の監視カメラシステム１０は、映像表示装置１２および外部コントローラ１４とドーム型の監視カメラ１６，１８，２０および２２とを含む。映像表示装置１２はビデオケーブルＶ１〜Ｖ４によって監視カメラ１６〜２２と接続され、外部コントローラ１４はＲＳ４８５ケーブルＣＢＬによって監視カメラ１６〜２２と接続される。監視カメラ１６はチャネルＣＨ１に対応し、監視カメラ１８はチャネルＣＨ２に対応し、監視カメラ２０はチャネルＣＨ３に対応し、そして監視カメラ２２はチャネルＣＨ４に対応する。
【００１６】
操作者が外部コントローラ１４に設けられたキー入力装置１４ａを操作して所望の監視カメラのアドレスと所望のコマンドとを入力すると、ＣＰＵ１４は、入力されたアドレスおよびコマンドを記述したコードの送信をＲＳ４８５ドライバ１４ｃに命令する。コードは、ＲＳ４８５ケーブルＣＢＬを通して監視カメラ１６〜２２に送信される。監視カメラ１６〜２２の各々は、受信コードに記述されたアドレスが自己アドレスと一致するとき、受信コードに記述されたコマンドに従う動作を行う。
【００１７】
所望の監視カメラが監視カメラ２０で、所望のコマンドがチルトコマンドであれば、監視カメラ２０の垂直方向の向きが変更される。また、所望の監視カメラが監視カメラ１８で、所望のコマンドがズームコマンドであれば、監視カメラ１８のズーム倍率が変更される。
【００１８】
監視カメラ１６〜２２から出力された監視映像信号はビデオケーブルＶ１〜Ｖ４を経て映像表示装置１２に与えられ、４チャネルの監視映像がモニタ画面にマルチ表示される。監視カメラ１６〜２２は外部コントローラ１４から遠く離れた位置に配置される一方、映像表示装置１２は外部コントローラ１４の近傍に配置される。したがって、外部コントローラ１４の操作者は、映像表示装置１２から出力される監視映像を見ながらキー入力装置１４ａを操作することとなる。
【００１９】
監視カメラ１６は、図２に示すように構成される。ビデオケーブルＶ１は端子１６ｍに接続され、ＲＳ４８５ケーブルＣＢＬは端子１６ｋに接続される。Ｉ／Ｏユニット１６ｅは台座１６ｂに収められ、カメラユニット１６ｃおよびメイン基板１６ｄはドーム型のケース１６ａに収められる。カメラユニット１６ｃは、監視エリアを表す映像信号つまり監視映像信号を周期的に作成し、作成された監視映像信号を端子１６ｍに与える。
【００２０】
ＲＳ４８５ケーブルＣＢＬを経て端子１６ｋに与えられたコードは、ＲＳ４８５ドライバ１６ｊを介してＩ／Ｏマイコン１６ｉに入力される。Ｉ／Ｏマイコン１６ｉは、入力コードに記述されたアドレスが自己アドレスと一致するとき、入力コードに記述されたコマンドに従う処理の実行をメインマイコン１６ｈに要求する。メインマイコン１６ｈは、自らあるいはカメラマイコン１６ｆを制御して、要求された処理を実行する。入力コードに記述されたコマンドがチルトコマンドであれば、図示しないチルトモータの駆動によってカメラユニット１６ｃの垂直方向の向きが変更される。また、入力コードに記述されたコマンドがズームコマンドであれば、図示しないズームレンズの移動によってズーム倍率が変更される。
【００２１】
監視カメラ１６および外部コントローラ１４は同じメーカ製（たとえばＡ社製）であり、Ｉ／Ｏマイコン１６ｉは、Ａ社の規格に係るプロトコルに従って外部コントローラ１４との間で通信処理を実行する。Ａ社プロトコルに適合する通信制御プログラムは、フラッシュメモリ１６ｇに記憶され、Ｉ／Ｏマイコン１６ｉによって実行される。
【００２２】
なお、監視カメラ１８および２０もまたＡ社製であり、監視カメラ１６と同じ構成を有する。このため、監視カメラ１８および２０の構成に関する説明は省略する。
【００２３】
監視カメラ２２は別のメーカ製（Ｄ社製）であり、図３に示すように構成される。図３から分かるように、監視カメラ２２は監視カメラ１６とほぼ同じであるため、同一の構成については同一のアルファベットを用いる（たとえば１６ｊに対応する構成には２２ｊを使用）ことで重複した説明を省略する。
【００２４】
監視カメラ１６との相違点として、ＤＩＰ−ＳＷ１およびＤＩＰ−ＳＷ２と端子２２ｍに接続されたＣＯＡＸドライバ２２ｎとがＩ／Ｏユニット２２ｅに追加される。
【００２５】
図４（Ａ）および図４（Ｂ）を参照して、ＤＩＰ−ＳＷ１は６ビットのスイッチであり、ＤＩＰ−ＳＷ２は８ビットのスイッチである。プロトコルは、ＤＩＰ−ＳＷ１の３ビット目および４ビット目を用いて指定される。監視カメラ２２のアドレス（自己アドレス）は、ＤＩＰ−ＳＷ２を用いて“０”から“２５５”の範囲で指定される。
【００２６】
ＤＩＰ−ＳＷ１の３ビット目を“１”に設定すると、端子２２ｍおよびＣＯＡＸドライバ２２ｎを使用するプロトコルである“ＣＯＡＸ”が指定される。ＤＩＰ−ＳＷ１の３ビット目および４ビット目をそれぞれ“０”および“１”に設定すると、端子２２ｋおよびＲＳ４８５ドライバ２２ｊを使用するプロトコルのうち、Ｄ社の規格に係る“プロトコルα”が指定される。ＤＩＰ−ＳＷ１の３ビット目および４ビット目のいずれも“０”に設定すると、端子２２ｋおよびＲＳ４８５ドライバ２２ｊを使用するプロトコルのうち、Ｄ社の規格に係る“プロトコルβ”が指定される。
【００２７】
図３に戻って、フラッシュメモリ２２ｇには、“ＣＯＡＸ”，“プロトコルα”および“プロトコルβ”にそれぞれ適合する３つの通信制御プログラムが記憶される。フラッシュメモリ２２ｇにはまた、Ａ社プロトコル，Ｂ社プロトコルおよびＣ社プロトコルにそれぞれ適合する３つの通信制御プログラムが追加的に記憶される。フラッシュメモリ２２ｇにはさらに、Ａ社〜Ｃ社のプロトコルとＤ社のプロトコルβとを管理するテーブルＴＢＬが準備される。
【００２８】
テーブルＴＢＬは図５に示すように構成される。図５によれば、Ａ社のプロトコル情報がインデックス番号“０”の欄に記述され、Ｂ社のプロトコル情報がインデックス番号“１”の欄に記述される。また、Ｃ社のプロトコル情報がインデックス番号“２”の欄に記述され、Ｄ社のプロトコル情報（プロトコルβの情報）がインデックス番号“３”の欄に記述される。
【００２９】
監視カメラ２２がＲＳ４８５ケーブルＣＢＬによって外部コントローラ１４と接続された状態で監視カメラ２２の電源が投入されると、ＤＩＰ−ＳＷ１およびＤＩＰ−ＳＷ２の状態が参照される。ＤＩＰ−ＳＷ１の３ビット目および４ビット目がそれぞれ“０”および“１”に設定されており、ＤＩＰ−ＳＷ２によって設定されたアドレスが“２５５”を示していれば、操作者によるキー入力装置１４ａの操作に基づく何らかのコードがＲＳ４８５ケーブルＣＢＬを通して入力されることを条件として、以下のプロトコル選択処理が実行される。
【００３０】
まず、テーブルＴＢＬのインデックス番号“０”〜“３”が、時分割態様で５秒ずつ選択される。カメラユニット２２ｃによって作成された監視映像信号には、選択されたインデックス番号に割り当てられたプロトコルを示すキャラクタ信号が重畳される。この結果、重畳されたキャラクタ信号に対応するプロトコル情報が、図６に示す要領で映像表示装置１２から出力される（図６はインデックス番号“０”が選択されているときの表示例）。
【００３１】
操作者によるキー入力装置１４ａの操作に基づく何らかのコードがＲＳ４８５ケーブルＣＢＬを通して再度入力されると、このときに選択されているプロトコルが外部コントローラ１４との通信処理のために採用（有効化）される。外部コントローラ１４はＡ社製であるため、図６に示すプロトコル情報が表示されているときに操作者がキー入力装置１４ａを操作することで、外部コントローラ１４に適したプロトコルが有効化される。
【００３２】
なお、監視カメラ２２が“ＣＯＡＸ”を採用する他の外部コントローラ（図示せず）に接続されるときは、ＤＩＰ−ＳＷ１の３ビット目を“１”に設定した状態で監視カメラ２２の電源を投入すればよい。
【００３３】
また、監視カメラ２２が“プロトコルα”を採用するその他の外部コントローラ（図示せず）に接続されるときは、ＤＩＰ−ＳＷ１の３ビット目および４ビット目をそれぞれ“０”および“１”に設定した状態で監視カメラ２２の電源を投入すればよい。
【００３４】
さらに、監視カメラ２２が“プロトコルβ”を採用するさらにその他の外部コントローラ（図示せず）に接続されるときは、ＤＩＰ−ＳＷ１の３ビット目および４ビット目をいずれも“０”に設定した状態で監視カメラ２２の電源を投入すればよい。“プロトコルβ”は“０”〜“１２７”の範囲でのアドレス指定を想定しており、ＤＩＰ−ＳＷ２の１ビット目〜７ビット目を参照して監視カメラ２２のアドレスが決定される。
【００３５】
Ｉ／Ｏマイコン２２ｉは、電源投入に応答して図７〜図８に示すプロトコル設定タスクを実行する。このタスクに対応する制御プログラムは、フラッシュメモリ２２ｇに記憶される。また、このタスクの開始時点では、後述するプロトコル設定モードはＯＦＦ状態とされる。
【００３６】
まず、ステップＳ１でＤＩＰ−ＳＷ１の３ビット目の設定を判別し、ステップＳ３でＤＩＰ−ＳＷ２の４ビット目の設定を判別する。ＤＩＰ−ＳＷ１の３ビット目が“１”を示していれば、ステップＳ３で“ＣＯＡＸ”を通信処理のために採用する。また、ＤＩＰ−ＳＷ１の３ビット目および４ビット目がそれぞれ“０”および“１”を示していれば、ステップＳ７で“プロトコルα”を通信処理のために採用する。ステップＳ３またはＳ７の処理が完了すると、プロトコル設定タスクを終了する。
【００３７】
ＤＩＰ−ＳＷ１の３ビット目および４ビット目がいずれも“０”を示していれば、ＤＩＰ−ＳＷ２によって指定されたアドレス値をステップＳ９で判別する。指定アドレスが“２５５”と異なる数値を示していれば、ステップＳ９からステップＳ１９に進み、“プロトコルβ”を通信処理のために採用する。ステップＳ１９の処理が完了すると、プロトコル設定タスクを終了する。一方、指定アドレスが“２５５”を示していれば、ステップＳ９からステップＳ１１に進み、ＲＳ４８５ドライバ１６ｋから何らかのコード（操作信号）を受信したか否かを判別する。
【００３８】
ここでＮＯであればそのままステップＳ１５に進む一方、ＹＥＳであればステップＳ１３でプロトコル設定モードをＯＮ状態に設定してからステップＳ１５に進む。ステップＳ１５では、メインマイコン２２ｈの制御の下で実行されるカメラユニット２２ｃの初期動作が終了したか否かを判別する。ここでＮＯであればステップＳ１１に戻る一方、ＹＥＳであればプロトコル設定モードがＯＮ状態であるか否かをステップＳ１７で判別する。プロトコル設定モードがＯＦＦ状態であれば、ステップＳ１９の処理を経てプロトコル設定タスクを終了する。プロトコル設定モードがＯＮ状態であれば、ステップＳ２１のプロトコル選択処理を実行した後に、プロトコル設定タスクを終了する。
【００３９】
ステップＳ２１のプロトコル選択処理は、図８に示すサブルーチンに従って実行される。まずステップＳ３１で変数ｉを“０”に設定する。ステップＳ３３では、テーブルＴＢＬのインデックス番号“ｉ”に割り当てられたプロトコルを表すキャラクタ信号を監視映像信号に多重するべく、対応する要求をメインマイコン２２ｈに与える。この結果、対応するプロトコル情報が図６に示す要領で映像表示装置１２から出力される。
【００４０】
ステップＳ３５ではＲＳ４８５ドライバ１６ｋから何らかのコード（操作信号）を受信したか否かを判別し、ステップＳ３７では最新のステップＳ３３の処理から５秒が経過したか否かを判別する。５秒が経過する前に何らかのコードを受信するとステップＳ４９に進み、インデックス番号“ｉ”に割り当てられたプロトコルを通信処理のために採用する。ステップＳ４９の処理が完了すると、上階層のルーチンに復帰する。
【００４１】
何らかのコードを受信する前に５秒が経過すると、ステップＳ３９で変数ｉをインクリメントし、変数ｉが“４”に達したか否かをステップＳ４１で判別する。ここでＮＯであればそのままステップＳ３３に戻る一方、ＹＥＳであればステップＳ３１の処理から５分が経過したか否かをステップＳ４３で判別する。ここでＮＯであればステップＳ４５で変数ｉを“０”に戻してからステップＳ３３に戻る一方、ＹＥＳであればステップＳ４７で変数ｉを“３”に設定してからステップＳ４９に移行する。
【００４２】
以上の説明から分かるように、ＲＳ４８５ドライバ２２ｊは、操作者によって操作される外部コントローラ１４との間で、有効プロトコルに従う通信処理を実行する。ＲＳ４８５ドライバ２２ｊを通して外部コントローラ１４から受信したコマンドに従う処理は、メインマイコン２２ｈによって実行される。Ｉ／Ｏマイコン２２ｈは、既定条件が満足されたとき、Ｍ個（Ｍ：２以上の整数）のプロトコルの各々を時分割態様で選択する(S31, S39)。選択されたプロトコルを識別する識別情報は、Ｉ／Ｏマイコン２２ｈによって操作者に向けて出力される(S33)。Ｉ／Ｏマイコン２２ｈは、操作者の操作に対応する信号を、外部コントローラ１４から受け付ける(S35)。Ｉ／Ｏマイコン２２ｈは、操作者の操作に対応する信号の受付時期に操作者に向けて出力されている識別情報に対応するプロトコルを、外部コントローラ１４との通信処理のために有効化する(S49)。
【００４３】
したがって、操作者に向けて出力される識別情報に対応するプロトコルは、時分割態様で変更される。所望のプロトコルを識別する識別情報が出力されているときに操作者が外部コントローラ１４を操作すると、所望のプロトコルが外部コントローラ１４との通信処理のために有効化される。これによって、外部コントローラ１４が採用するプロトコルに適合するプロトコルを監視カメラ２２に簡便に設定することができる。
【００４４】
なお、この実施例では、コマンド処理装置として監視カメラを想定しているが、外部コントローラから与えられるコマンドを処理する装置である限り、監視カメラに限られるものではないことは、言うまでもない。
【図面の簡単な説明】
【００４５】
【図１】この発明の一実施例の構成を示すブロック図である。
【図２】図１実施例に適用される監視カメラの構成の一例を示すブロック図である。
【図３】図１実施例に適用される別の監視カメラの構成の一例を示すブロック図である。
【図４】（Ａ）は図３実施例に適用されるＤＩＰ−ＳＷ１の外観の一例を示す図解図であり、（Ｂ）は図３実施例に適用されるＤＩＰ−ＳＷ２の外観の一例を示す図解図である。
【図５】図３実施例によって参照されるテーブルの一例を示す図解図である。
【図６】図１実施例に適用される映像表示装置に表示されるＯＳＤ映像の一例を示す図解図である。
【図７】図３実施例に適用されるＩ／Ｏマイコンの処理動作の一部を示すフロー図である。
【図８】図３実施例に適用されるＩ／Ｏマイコンの処理動作の他の一部を示すフロー図である。
【符号の説明】
【００４６】
１０  …監視カメラシステム
１２  …映像表示装置
１４  …外部コントローラ
１６〜２２  …監視カメラ
２２ｉ  …Ｉ／Ｏマイコン
２２ｊ  …ＲＳ４８５ドライバ
【図１】
2009010670.tif 000003
【図２】
2009010670.tif 000004
【図３】
2009010670.tif 000005
【図４】
2009010670.tif 000006
【図５】
2009010670.tif 000007
【図６】
2009010670.tif 000008
【図７】
2009010670.tif 000009
【図８】
2009010670.tif 000010